(57)【特許請求の範囲】
【請求項１】
バス内部に設置し、乗客や車椅子を昇降するための昇降装置であって、取付板（１５）で昇降床架台（２）に固定された昇降床可動機構のプーリー（１２）をベルト（７）、ドライブシャフトとともにモーター（８）を可逆転させることにより昇降床（１）の埋込ナット（１０）を介して前記昇降床（１）を上下動させるとともに、前記昇降床架台（２）はクランク連結用ボルト穴（１３）と、昇降床架台用昇降架台（３）の昇降床架台用パンタクランク（４）の平行リンクとクランク連結用ボルト（１４）で連結され、前記昇降床架台用パンタクランク（４）は前記平行リンクに天秤結合リンク（２３）を介して天秤（２４）を結合し、さらに前記天秤（２４）にはクランク用電動シリンダー（５）を配置しており、前記クランク用電動シリンダー（５）の上下動により前記天秤（２４）が前記天秤結合リンク（２３）を介し前記昇降床架台（２）を上下動することが可能な昇降装置。
【発明の詳細な説明】
【技術分野】
【０００１】  本発明は、バス車内で車椅子等を昇降するためのバス昇降床装置に関する。
【背景技術】
【０００２】  縦来のバスにはステップ昇降手段を設けたものがある（例えば、特許文献１）、参照。）。また、斜行リフトを設け昇降させるものもある（例えば、特許文献２、参照。）。
以下、図１、図１によりバス昇降装置について説明する。これらは昇降口部の床面と地面付近との間で昇降させるステップ延長板を備えたステップ昇降手段と、通常の乗降口以外の階段を有する乗降口に斜行リフトに支持具、座板を設け車内と車外の間を車椅子に座った状態で斜行移動するもので、各々車外での作業が必要で車椅子専用である。
【特許文献１】特開平１１−４８８６７号広報（第７頁、図１）
【特許文献２】特開平１０−２９７８０号広報（第４頁、図１）
【発明の開示】
【発明が解決しようとする課題】
【０００３】  現在主流のハイデッカーバスは床面が高く、乗降用階段の傾斜が構造的にきつく、車椅子使用者は勿論、歩行が困難な人にとっても乗降がしにくい現状で、眺望に優れ、観光に最適なバス旅行も、手軽な乗り降りが阻害され、実質的な快適性が損なわれ旅行を断念しなければならないでいる現状である。車体左側面の車外で昇降するリフト様昇降装置は、雨、風雪や車椅子に乗った状態での昇降は介助者もなく、２メートルちかい目線の昇降は不安定で恐怖を感じ、昇降床が濡れると滑りやすく転落の危険性もあり、また周囲の歩行者への配慮もされていない。従って、バス昇降床装置を車内に設置することにより、前述の欠点を解決しようとするものである。
【課題を解決するための手段】
【０００４】  そこで、本発明の特徴とするところは、バス乗車に車椅子に乗った乗客とその介助者や、足腰の悪い歩行困難な乗客３人程度の昇降が車内で出来るバス昇降床装置を車内に具備した車両を提供せんとするものである。【０００５】  この、バス昇降床装置は、車椅子と乗客と介助者を地面から車内座席床まで持ち上げる能力と、バス昇降床装置の昇降床１に乗床した使用状態図１０の昇降は地面近くから通路床１８面まで昇降を必要とするために鋭意研究の結果本発明を完成した。それはバス昇降床装置の分解斜視図５、昇降床架台用昇降架台３の昇降床架台用パンタクランク４で昇降床架台２の昇降、昇降床架台２の昇降床可動機構図１３で昇降床１の昇降を行う２系統のバス昇降床装置である。【０００６】  また、バス昇降床装置の固定位置は、着座床１９から２席取り外し、その前後各２席折りたたまれた着座床１９面に昇降床１面寸法に開口された図９取付スペース１７に保持、固定され、前後各２席を元に戻し固定した状態で運行される。【０００７】  また、バス昇降床装置の乗車口１６は、左サイドボデーの窓枠下部からバス昇降床装置の昇降床１の長辺幅程度に開口し、ドアは後スライド式で乗降時のみ開閉する専用ドアで図１０の如く高くて広い乗車口１６である。専用ドアの構造としては、前ヒンジ後開ドアなど特に限定するものではない。
【発明の効果】
【０００８】上述の様に、本発明は、バス昇降床装置を車内に設置することで乗車や降車が天候に左右されず、車椅子へ乗った乗客とその介助者も同時に乗車でき、階段が苦痛な歩行困難者も３名ちかく同時に乗車でき昇降時の安全が確保され恐怖感もなく安全なバスによる観光旅行、視察などがより身近になり昇降床に乗るときにも車内であるため、周囲の歩行者等への安全が図られている。
【実施例】
【０００９】以下、本発明の実施例を図面を参照しながら説明する。【００１０】  図５バス昇降床装置の分解斜視図で、取付板１５で昇降床架台２に固定された昇降床可動機構のプーリー１２をベルト７、ドライブシャフトモーター８の可逆転で昇降床１の埋込みナット１０が昇降床１の上下動に変換する。また昇降床架台２はクランク連結用ボルト穴１３と、昇降床架台用昇降架台３の昇降床架台用パンタクランク４がクランク連結用ボルト１４で連結され図１２パンタクランク機構のクランク用電動シリンダー５の上下動で天秤２４が天秤結合リンク２３を介し昇降床架台用パンタクランク４の上下動とガイドローラ２０，２１で安定した昇降を行う２段階の昇降機構である。【００１１】  バス昇降床装置は、その昇降床１を図９の取り付けスペース１７の着座床１９の高さに合わせて図６の如く固定しにてある。【００１２】  図７は昇降床架台２が着地し昇降床１の引き出し延長板２２が接地した乗車待機の状態図である。【００１３】  図１０は乗車口１６でバス昇降床装置の昇降床１に乗り込んだ使用状態図である。【００１４】  図８はバス昇降床装置の乗車口１６とそのドア２５の概略位置図である。【００１５】図１４は昇降床可動機構図の昇降床１の可動メカニズム図で、取付板１５のベアリング１１で保持され、プーリー１２が固定されたドライブシャフト９の正逆回転を、昇降床１の埋込ナット２３が昇降床１の上下動に転換している。【００１６】  此れは図５の如く昇降床１は、４箇所の埋込ナット１０に捻込まれた４本のプーリー１２が固定されたドライブシャフト９を取付板１５とベアリング１１で保持し、昇降床架台２の下４箇所の取付板１５のベアリングに装着し、上４箇所の所定位置に上４個の取付板１５を固定した状態で保持されて、昇降床架台の左右２箇所のプーリー１２を固定したドライブシャフトモータ８がベルト７を介して左右各２個のプーリー１２を正逆転して昇降する機構となっている。【００１７】  図１２はパンタクランク機構図で、パンタグラフの平行リンクＤ、Ｅ、Ｆ、Ｇの平行リンクのＤ、Ｅを延長しＥの先端を固定具２６に取付け、リンクＦのＨ点で天秤結合リンク２３と天秤２４を結合する、これをクランク用電動シリンダー５を中心とした左右対称に配置してクランク用電動シリンダー５のシリンダー上下移動が平行リンクＤの先端を数倍確実に昇降でき２０、２１、のガイドローラで昇降時の安定を確保している。【００１８】  本発明は、以上のような構成でなるバス昇降床装置で、発明の実施の状態を順を追って説明する、【００１９】  始めに、バスの着座床１９に固定された昇降床架台２の昇降床１の前後２席の座席を前後に折たたみ、その昇降床１の固定を解除し昇降床架台用昇降架台３のクランク用電動シリンダー５と昇降床架台用パンタクランク４で連動する上限で保持した昇降床架台２を降下接地し、その昇降床架台２の昇降床１を昇降床可動機構で降下した状態位置でドア２５を開き乗車口１６に、引き出し延長板２２が引き出され接地した状態で図７で乗車待機状態となる。【００２０】  乗客が、車椅子で介助者付きの場合図１０の如く高く広い乗車口１６の昇降床１に乗床し、引き出し延長板２２を昇降床１に収納固定し、ドア２５���じる。【００２１】  引き出し延長板２２が収まり、ドア２５が閉じたのを確認し、昇降床架台２のドライブシャフトモータ８でドライブシャフト９の回転で埋込ナット２３を介し、車椅子の乗客と介助者を乗せた昇降床１をその昇降床架台２の上限近くまで上昇させる。【００２２】  次に、昇降床架台２の上限近く迄上昇した車椅子の乗客と介助者を乗せた昇降床１を保持した昇降床架台２を、車体に固定された昇降床架台用昇降架台３のクランク用電動シリンダー５と昇降床架台用パンタクランク４で上昇させ、車椅子の乗客と介助者を乗せた昇降床架台２の昇降床１の昇降床面を通路床１８面に合わせ保持し車椅子の乗客と介助者を通路に移乗させる。【００２３】  次に、昇降床１乗車板面を上昇し図６の着座床１９面に合わせ固定する。【００２４】  次に、着座床１９に固定された昇降床１に前後各２座席を元に戻して固定し、車椅子は折り畳まれ着座床１９の２席取り外された場所に固定，乗客は着座する。【００２５】  なを、車椅子の乗客とその介助者または歩行困難者等の降車時には、以上説明した操作を反対に行う。【００２６】  また、昇降床架台２を上昇させてのち昇降床１を上昇してもよいく、同時に上昇も可能であり必ずしも２段階上昇でなくてもよく、各動作は位置センサー等の検出器を使用した運転席からの遠隔操作が可能である。
【図面の簡単な説明】
【００２７】
【図１】    昇降床正面図
【図２】    平面図
【図３】    背面図
【図４】    右側面図
【図５】    バス昇降床装置の分解斜視図
【図６】    バス昇降床装置固定位置と通路と着座床の位置図
【図７】    昇降床架台の着地で昇降床の引き出し延長板の着地図
【図８】    バス昇降床装置の乗車口とドアの概略位置図
【図９】    バス昇降床装置の取付けスペースの概略位置図
【図１０】    バス昇降床装置の昇降床に乗床した使用状態図
【図１１】    昇降床引き出し延長板図
【図１２】    パンタクランク機構図
【図１３】    取付板図
【図１４】    昇降床可動機構図
【図１５】    ガイドローラ図
【符号の説明】
【００２８】    １  昇降床
２  昇降床架台
３  昇降床架台用昇降架台
４  昇降床架台用パンタクランク
５  クランク用電動シリンダー
７  ベルト
８  ドライブシャフトモータ
９  ドライブシャフト
１０  埋込みナット
１１  ベアリング
１２  プーリー
１３  クランク連結用ボルト穴
１４  クランク連結用ボルト
１５  取付板
１６  乗車口
１７  取付けスペース
１８  通路床
１９  着座床
２０  ガイドローラ
２１  ガイドローラ
２２  引き出し延長板
２３  天秤結合リンク
２４  天秤
２５  ドア
２６  固定具
【図１】
0004742363.tif 000002
【図２】
0004742363.tif 000003
【図３】
0004742363.tif 000004
【図４】
0004742363.tif 000005
【図５】
0004742363.tif 000006
【図６】
0004742363.tif 000007
【図７】
0004742363.tif 000008
【図８】
0004742363.tif 000009
【図９】
0004742363.tif 000010
【図１０】
0004742363.tif 000011
【図１１】
0004742363.tif 000012
【図１２】
0004742363.tif 000013
【図１３】
0004742363.tif 000014
【図１４】
0004742363.tif 000015
【図１５】
0004742363.tif 000016